(57)【特許請求の範囲】
【請求項１】
小出しクロージャであって、該小出しクロージャは、
少なくとも２つの小出し計量供給チャンバ（３）を有するクロージャ本体（１）と、
前記チャンバ（３）の各々中に位置するピストン（４）と、を含み、
前記ピストン（４）を含む前記クロージャ本体（１）は、プラスチックカバー（５）によって上側が閉じられており、前記プラスチックカバー（５）は、分離可能なロック（７）を含み、前記チャンバ（３）の底は、カバーホイル（６）で閉じられており、前記少なくとも２つのチャンバ（３）は、前記クロージャ本体（１）の底部中に位置しており、かつ、ガイド形状（２）を有する前記クロージャ本体（１）の上部ガイド部分内に延びており、前記ガイド形状（２）の断面は、前記チャンバ（３）の少なくとも一部の断面と一致しており、
前記プラスチックカバー（５）は、前記クロージャ本体（１）上に回転可能に取り付けられており、前記分離可能なロック（７）を含み、かつ、前記分離可能なロック（７）を分離することにより、前記チャンバ（３）の１つの中の前記ピストン（４）の１つが押されることを可能にする開口部が構成されている上側部分を含み、前記プラスチックカバー（５）が、前記クロージャ本体（１）上の第１の位置に回転されるときに、前記開口部は、前記チャンバ（３）の１つの中の前記ピストン（４）の１つが押されることを可能にするように寸法決めされており、前記プラスチックカバーは、別のチャンバ中に位置する別のピストンが押されることを防止し、
前記各ピストン（４）の下側は、前記カバーホイル（６）を切断するためのプラスチックカッターを含む、ことを特徴とする小出しクロージャ。
【請求項２】
前記クロージャ本体（１）は、３つのチャンバ（３）を有する、ことを特徴とする請求項１に記載の小出しクロージャ。
【請求項３】
前記チャンバ（３）は、２つの等しい辺を有する三角形形態に形づくられる、ことを特徴とする請求項２に記載の小出しクロージャ。
【請求項４】
前記ピストン（４）は、中空である、ことを特徴とする請求項１に記載の小出しクロージャ。
【請求項５】
前記分離可能なロック（７）には、付属リング（９）が取付けられており、前記分離可能なロック（７）は、前記付属リング（９）を引くことにより分離される、ことを特徴とする請求項１に記載の小出しクロージャ。
【請求項６】
前記ピストン（４）のプラスチックカッターは、前記ピストン（４）の円形部縁の延長部として形づくられる、ことを特徴とする請求項１に記載の小出しクロージャ。
【発明の詳細な説明】
【技術分野】
【０００１】
本発明は、液体を含むボトル中に調味材料を計量供給するようになっている小出しクロージャに関する。
【背景技術】
【０００２】
液体を含むボトル中に材料、特に粉末形態のもの、を加えることができることに関して、そのステップを出来上がった飲料の消費者自身のみが行うことができる、多数の技術的解決が知られている。ボトルは大抵、香味料として粉末混合物または液体シロップ濃縮物が後で加えられるべき、味付けされていない水を含む。そのような添加は今までは、水が充填されたボトル中に配置されたカプセル中に前もって包含された香味基材で行われており、覆い蓋を開くことによってカプセルからの香味剤が活性化され（例えば、クロアチア特許出願公開第20080441号）、または、粉末または他の物質は、単に蓋の穴（空洞）内に包含されており、蓋をねじって外す・押す・または開くとその中身がボトル内の液体中に自由に流れ込むことができる。そのような原理は、例えば米国特許出願公開第2009/321380号、米国特許出願公開第2010/200536号、韓国公開特許第2009-0055374号、韓国公開特許第2010-0019600号、特開2009-083923号、韓国公開特許第2009-0052142号、または韓国実用新案第2009-0005510号で知られている。個々の解決手段は、ボトルを開いた後、粉末の入れ物を開くために用いられるプロセスの点で互いに異なり、または、粉末を蓋中に封入する方法において異なる。解決手段のいくつかは、機能するために特別な形態またはサイズのボトルを必要とする。蓋がいくつかの香味物質カプセルを有するが、蓋を開くとき、ボトル中に調合される粉末量を少しも制御することができずに、包含される材料の全量が空にされる解決手段もまた知られている。大部分同様の背景技術を示す上記全ての韓国特許文献は、カプセル穴を完全に空にすることを保証できない。充填された物質の一部分はカプセル壁に付着し、ボトルを通過することができない。穴に包含された混合物は、隔壁に穴が開けられた後、自由に落下するが、即時投入量全てが本当にボトルに入るかは確かでない。見つけた文献から明らかなように、クロージャのいくつかは、粉末材料の活性化後、再び閉じることができず、そのため、そのような飲料は直ちに飲む場合のみに適しており、飲料の残りが入ったそのようなボトルは、こぼす危険無しに安全に運ぶことはできない。蓋の内側機械システムは複雑な組立体であり、従ってその原価は最終製品価格に悪影響を及ぼす。充填される香味剤の量を制御して香味強度を適合させることができず、特別なボトル形態を有する蓋の場合、香味剤を有する蓋のみを買うことができず、また、通常用いている所有ボトルに蓋を用いることができない。
【先行技術文献】
【特許文献】
【０００３】
【特許文献１】クロアチア特許出願公開第20080441号
【特許文献２】米国特許出願公開第2009/321380号明細書
【特許文献３】米国特許出願公開第2010/200536号明細書
【特許文献４】韓国公開特許第2009-0055374号公報
【特許文献５】韓国公開特許第2010-0019600号公報
【特許文献６】特開2009-083923号公報
【特許文献７】韓国公開特許第2009-0052142号公報
【特許文献８】韓国実用新案第2009-0005510号公報
【発明の概要】
【０００４】
本願発明による計量供給チャンバを有するクロージャ本体を含む小出しクロージャ（蓋）の原理は、小出しクロージャ本体が、その底部に少なくとも２つのチャンバを有し、少なくとも２つのチャンバは、ガイド形状を有する本体の上部ガイド部分を通り、ガイド形状の断面は移動通過部分においてチャンバの断面と一致することにある。各々のチャンバ中にはピストンが位置し、ピストンはその上部に、プラスチックカバーを意図せずにねじって外すことを防ぐロックを有し、その底部に、カバーホイルに穴を開けるためのプラスチックカッターが取り付けられる。ピストンを含む本体は、いかなる干渉も防ぐ分離可能なロックを有する回転可能に取り付けられたプラスチックカバーによって上側から覆われている。チャンバは、下側がカバーホイルで本体から閉鎖されている。小出しクロージャのチャンバは、２つの等しい辺を有する三角形様形態に形づくられ、最も長い辺は、環状の扇形部分の形態を有する。小出しクロージャは、ピストンの円形部側から中心に向かう方向に中空であるピストンを有する。小出しクロージャは、いかなる干渉も防ぐ、付属リングが取り付けられた分離可能なロックを有する。小出しクロージャは、ピストンの円形部縁の延長部として形づくられたピストンのプラスチックカッターを有する。
【０００５】
背景技術と比較すると本発明による小出しクロージャはいくつかの利点をもたらす。その１つは、小出しクロージャは様々な香味物質で複数回の使用が可能であることである。小出しクロージャは、既に空になったボトルと独立して用いることができる。これは環境保護をもたらし、プラスチックによる環境汚染が減少する。例えば出かけるときなど、持ち運びするとき、小さいスペースのみ必要となる１つのボトルといくつかのクロージャを持ち運べばよい。内容物がチャンバ壁に付着して残ること無しに、ボトル内に含まれる液体中に放出されることが保証されるので、クロージャチャンバには、粉末、液体混合物、または錠剤さえも充填することができる。
【図面の簡単な説明】
【０００６】
【図１】ボトル用ネジ山とピストン用ガイドを有する小出しクロージャ本体。
【図２】香味化合物チャンバの底面図。
【図３】プラスチックカバーを含む完全な小出しクロージャ組立体。
【図４】ピストンのストロークによる香味化合物の放出プロセスを示す図。
【発明を実施するための形態】
【０００７】
本発明は、添付図面で詳細に説明される。
【０００８】
小出しクロージャは、ガイド形状２を有する本体１の上部ガイド部分中を通る３つのチャンバ３を有する本体１からなるように設計され、ガイド形状の断面は、チャンバ３の断面と移動部分で一致する。チャンバ３の各々内には、ピストン４が位置し、ピストン４の上部に、プラスチックカバー５を意図せずねじって外すのを防ぐロックを有し、ピストン４の下部に、カバーホイル６を穴開けするためのプラスチックカッターが取付けられている。ピストン４を含むボディ１は、開口部と、この開口部内に配置され、この開口部を通してピストン４が押されることを防止するための分離可能なロック７と、を有する回転可能に取付けられたプラスチックカバー５（図３参照）で上側から覆われる。チャンバ３は、カバーホイル６で本体１の下側から閉鎖される。小出しクロージャのチャンバ３は、２つの等しい辺を有する三角形様形態に形づくられ、最も長い辺は、環状の扇形部分の形態を有する。ピストン４は、ピストン４の円形部側から中心に向かう方向に中空である。ピストン４が押されることを防止する分離可能なロック７には付属リング９（図３参照）が取付けられており、分離可能なロック７は、この付属リング９を引くことにより、分離される。ピストン４のプラスチックカッターは、ピストン４の円形部縁の延長部として形づくられている。
【０００９】
小出しクロージャの充填は、下側が上にされた逆さ位置のチャンバ３に所要の香味物質を充填し、アルミホイル６で閉鎖するようにして行われる。付属リング９が取付けられた分離可能なロック７を含むリング付きロックを有する小出しクロージャは、次いで、ボトル上にねじって取り付けられ、リング付きロックがロックされて、意図せずピストン４が押されることが防止される。分離可能なロック７を有するプラスチックカバー５の一部分を用いて、付属リング９を引くことにより分離可能なロック７を外した後、プラスチックカバー５の開口部を通して３つのピストン４のうちの１つが押される。プラスチックカバー５の開口部の向きを変えることによって、所要のチャンバ３中の香味成分が選択される。プラスチックカバー５を時計回りに回すと、ピストン４上の段状部を横切って、これはプラスチックカバー５が意図せずひねられて外されるのを防ぐロックとなる。環状切断縁上に配置されたプラスチックカッターを担持するピストン４を押すことによって、選択されたピストン４の下にあるカバーホイル６に穴が開けられ、チャンバ３の中身８が、小出しクロージャが取付けられているボトル中に放出される。ボトルを空にした後、小出しクロージャは自由にねじって取り外すことができ、ボトルに新たな水を再び充填し、小出しクロージャをボトル上にねじって取り付けることができる。従って、小出しクロージャが有するチャンバ３の数によって、小出しクロージャを多数回のボトル充填に用いることができる。小出しクロージャは、３８ｍｍネジボトル用に設計されている。
【産業上の利用可能性】
【００１０】
本発明による香味成分をボトル中に計量供給する小出しクロージャは、いかなる種類の飲用品に用いることができ、最終消費者は自分の意志で味および量に関して自分のための飲料を準備することができる。従って、食品産業の飲料部門に適用できる。
【図１】
0006434807.tif 000002
【図２】
0006434807.tif 000003
【図３】
0006434807.tif 000004
【図４】
0006434807.tif 000005